(57)【特許請求の範囲】
【請求項１】
複数のバンドを用いて、上りリンク信号を送信することができるように構成されており、かつ、同一サブフレームでは、いずれか１つのバンド又はコンポーネントキャリアを用いて、前記上りリンク信号を送信するように構成されている移動局であって、
無線処理部及びベースバンド処理部を具備しており、
前記無線処理部は、
第１バンド用の送信回路及び受信回路と、
第２バンド用の送信回路及び受信回路と、
前記第１バンド及び前記第２バンドを分離するバンド間分離フィルタと、
前記第１バンド内の上りリンク用バンド及び下りリンク用バンドを分離する第１バンド内分離フィルタと、
前記第２バンド内の上りリンク用バンド及び下りリンク用バンドを分離する第２バンド内分離フィルタとを具備しており、
前記ベースバンド処理部は、
前記第１バンド用の送信回路又は前記第２バンド用の送信回路を介して送信するように構成されている前記複数のバンドの各々に対応する複数の送信部と、
前記第１バンド用の受信回路又は前記第２バンド用の受信回路を介して受信するように構成されている前記複数のバンドの各々に対応する複数の受信部と、
前記受信部の各々及び前記送信部の各々に接続されている制御部とを具備しており、
前記制御部は、前記受信部を介して受信した上りスケジューリング情報に基づいて、前記送信部のいずれを介して、前記上りリンク信号を送信するべきかについて決定するように構成されており、
前記無線処理部と前記ベースバンド処理部とは、前記同一サブフレームにおいて複数のバンド又は複数のコンポーネントキャリアを介して前記上りリンク信号を送信することができない旨を示す同時送信能力情報、又は、前記同一サブフレームにおいて複数のバンド又は複数のコンポーネントキャリアを介して前記上りリンク信号を送信した場合に所定通信品質を担保することができない旨を示す同時送信能力情報を送信するように構成されており、
前記無線処理部には、相互変調歪みを抑制する相互変調歪み抑制フィルタが設けられていないことを特徴とする移動局。
【発明の詳細な説明】
【技術分野】
【０００１】
本発明は、移動局に関する。
【背景技術】
【０００２】
ＬＴＥ方式の移動通信システムでは、複数のバンド又は複数のＣＣ（ＣｏｍｐｏｎｅｎｔＣａｒｒｉｅｒ、コンポーネントキャリア）を用いて上りリンク信号を送信する「Ｕｐｌｉｎｋ  ＣＡ（Ｃａｒｒｉｅｒ  Ａｇｇｒｅｇａｔｉｏｎ）」を行うことができるように構成されている。
【０００３】
しかしながら、従来のＦＤＤシステムを実現するための無線構成では、同一のバンド内の上りリンク帯域から下りリンク帯域への漏れ込みを抑圧するために、Ｄｕｐｌｅｘｅｒが挿入される。
【０００４】
一方で、「Ｉｎｔｅｒ-ｂａｎｄ  ＣＡ」においては、異なるバンドで送信された上りリンク帯域から信号が、自帯域の下りリンク帯域漏れ込みが発生してしまう。その漏れ込みを抑圧するために、一般的には、Ｄｉｐｌｅｘｅｒを追加で挿入することが検討されている。
【０００５】
なお、複数の「Ｉｎｔｒａ-ｂａｎｄ  ＣＡ」や「Ｉｎｔｒａ-ｂａｎｄ  ＣＡ」と既存のＬＴＥバンドとを組み合わせた場合にも、同様の検討が想定される。以下では、「Ｉｎｔｅｒ-ｂａｎｄ  ＣＡ」を前提として記載するが、かかる検討は、上述のような組み合わせにも適用されるものとする。
【０００６】
例えば、バンド＃Ａ/＃Ｂ内の上りリンク帯域から下りリンク帯域への信号（図７における実線）は、その漏れ込みを抑圧するためにＤｕｐｌｅｘｅｒ＃Ａ/＃Ｂが挿入される。
【０００７】
加えて、バンド＃Ａ内の上りリンク帯域からバンド＃Ｂ内の下りリンク帯域へ漏れ込む信号（図７における実線）に関しては、同様に、Ｄｉｐｌｅｘｅｒを挿入することで、漏れ込む信号を抑圧する。
【０００８】
ここで、同一のバンド内の上りリンク帯域から下りリンク帯域へのＤｉｐｌｅｘｅｒを経由しての信号の漏れ込みに対しては、ＬＴＥ（Ｒｅｌｅａｓｅ-８）方式において、かかる影響を削減するために「ＲＥＦＳＥＮＳ」等が規定されている。
【０００９】
また、上りリンクとして１つの帯域のみを利用する場合に関しては、現在、検討が行われている。
【００１０】
しかしながら、異なるバンド間での上りリンク帯域から下りリンク帯域へのＤｉｐｌｅｘｅｒを経由しての信号の漏れ込みに対しては、複数の上りリンク帯域からの信号が発生した場合に関しては何ら対策が講じられていない。
【００１１】
特に、そのために発生する送信スプリアスや受信感度の劣化や送信電力の低減等が発生してしまうという問題点があった。
【００１２】
本課題を解決するために、１ＣＣ又は１ＲＦのみの送信を前提とした「Ｕｐｌｉｎｋ  ＣＡ」の検討が行われている（特許文献１）。
【００１３】
かかる「１ＲＦ  Ｕｐｌｉｎｋ  ＣＡ」用の移動局ＵＥは、複数のバンドを用いて上りリンク信号を送信することができるように構成されているが、同一サブフレーム（Ｓｕｂｆｒａｍｅ）では、いずれか１つのバンド又は１つのＣＣ（ＲＦ：Ｒａｄｉｏ  Ｆｒｅｑｕｅｎｃｙ）を用いて上りリンク信号を送信するように構成されている。
【先行技術文献】
【特許文献】
【００１４】
【特許文献１】特願２０１２-０２２５４７号
【非特許文献】
【００１５】
【非特許文献１】３ＧＰＰ ＴＳ３６.１０１
【発明の概要】
【発明が解決しようとする課題】
【００１６】
しかしながら、現時点では、上述の「１ＲＦ  Ｕｐｌｉｎｋ  ＣＡ」（又は、「１ＣＣ  Ｕｐｌｉｎｋ  ＣＡ」）を実現するために、移動局ＵＥの具体的な構成を、どのようにすべきかについて考えられていないという問題点があった。
【００１７】
そこで、本発明は、上述の課題に鑑みてなされたものであり、最適な構成で「１ＲＦ  Ｕｐｌｉｎｋ  ＣＡ」を実現することができる移動局を提供することを目的とする。
【課題を解決するための手段】
【００１８】
本発明の第１の特徴は、複数のバンドを用いて、上りリンク信号を送信することができるように構成されており、かつ、同一タイミングでは、いずれか１つのバンド又はコンポーネントキャリアを用いて、前記上りリンク信号を送信するように構成されている移動局であって、無線処理部及びベースバンド処理部を具備しており、前記無線処理部は、第１バンド用の送信回路及び受信回路と、第２バンド用の送信回路及び受信回路と、前記第１バンド及び前記第２バンドを分離するバンド間分離フィルタと、前記第１バンド内の上りリンク用バンド及び下りリンク用バンドを分離する第１バンド内分離フィルタと、前記第２バンド内の上りリンク用バンド及び下りリンク用バンドを分離する第２バンド内分離フィルタとを具備しており、前記ベースバンド処理部は、前記第１バンド用の送信回路又は前記第２バンド用の送信回路を介して送信するように構成されている前記複数のバンドの各々に対応する複数の送信部と、前記第１バンド用の受信回路又は前記第２バンド用の受信回路を介して受信するように構成されている前記複数のバンドの各々に対応する複数の受信部と、前記受信部の各々及び前記送信部の各々に接続されている制御部とを具備しており、前記制御部は、前記受信部を介して受信した上りスケジューリング情報に基づいて、前記送信部のいずれを介して、前記上りリンク信号を送信するべきかについて決定するように構成されており、前記無線処理部には、相互変調歪みを抑制する相互変調歪み抑制フィルタが設けられていないことを要旨とする。
【発明の効果】
【００１９】
以上説明したように、本発明によれば、最適な構成で「１ＲＦ  Ｕｐｌｉｎｋ  ＣＡ」を実現することができる移動局を提供することができる。
【図面の簡単な説明】
【００２０】
【図１】本発明の第１の実施形態に係る移動通信システムの全体構成図である。
【図２】本発明の第１の実施形態に係る移動局の機能ブロック図である。
【図３】本発明の第１の実施形態に係る移動局内のＲＦ処理部の機能ブロック図の一例である。
【図４】本発明の第１の実施形態に係る移動局内のＲＦ処理部の機能ブロック図の一例である。
【図５】本発明の第１の実施形態に係る移動局内のＢＢ処理部の機能ブロック図の一例である。
【図６】本発明の第１の実施形態に係る移動局内のＢＢ処理部の機能ブロック図の一例である。
【図７】従来の移動通信システムの問題点について説明するための図である。
【発明を実施するための形態】
【００２１】
（本発明の第１の実施形態に係る移動通信システム）
図１乃至図６を参照して、本発明の第１の実施形態に係る移動通信システムについて説明する。
【００２２】
本実施形態に係る移動通信システムは、ＬＴＥ方式に対応するものであって、  「Ｉｎｔｅｒ-ｂａｎｄ  ＣＡ」や「Ｉｎｔｒａ-ｂａｎｄ  ｎｏｎ-ｃｏｎｔｉｇｕｏｕｓ  ＣＡ」を提供することができる。
【００２３】
なお、複数の「Ｉｎｔｒａ-ｂａｎｄ  ＣＡ」や「Ｉｎｔｒａ-ｂａｎｄ  ｎｏｎ-ｃｏｎｔｉｇｕｏｕｓ  ＣＡ」と既存のＬＴＥバンドとを組み合わせた場合にも、同様の検討が想定される。
【００２４】
以下では、「Ｉｎｔｅｒ-ｂａｎｄ  ＣＡ」を前提として記載するが、本発明は、上述のような組み合わせに対しても適用されるものとする。つまり、１バンドが、１つのＣＣにて構成される場合には、１ＣＣあたりの構成としてとらえることが可能である。以下では、複数のバンドを制御することを前提とするが、複数のＣＣを制御することとしてもよい。
【００２５】
図１に示すように、本実施形態に係る移動通信システムは、セル＃１を管理する無線基地局ｅＮＢ＃１と、セル＃１１を管理する無線基地局ｅＮＢ＃１１と、セル＃１２を管理する無線基地局ｅＮＢ＃１２と、セル＃１３を管理する無線基地局ｅＮＢ＃１３とを具備している。
【００２６】
ここで、本実施形態に係る移動通信システムでは、図１に示すように、セル＃１のカバレッジエリア内に、セル＃１１〜＃１３のカバレッジエリアが含まれているものとする。
【００２７】
なお、セル＃１は、マクロセルであり、バンド＃１で運用されており、セル＃１１〜＃１３は、ピコセルであり、バンド＃１１〜＃１３で運用されていてもよい。
【００２８】
なお、本実施形態に係る移動通信システムでは、移動局ＵＥに対して、セル＃１をＰｃｅｌｌに設定し、セル＃１１〜＃１３をＳｃｅｌｌに設定しているものとする。
【００２９】
また、本実施形態に係る移動局ＵＥは、「１ＲＦ  Ｕｐｌｉｎｋ  ＣＡ」を実現することができるように構成されている。図２に示すように、本実施形態に係る移動局ＵＥは、ＲＦ（Ｒａｄｉｏ  Ｆｒｅｑｕｅｎｃｙ）処理部１と、ＢＢ（Ｂａｓｅ  Ｂ ａｎｄ）処理部２とを具備している。
【００３０】
図３に示すように、既存の「Ｕｐｌｉｎｋ  ＣＡ」に対応可能な移動局ＵＥのＲＦ処理部１は、相互変調歪みを抑制するＩＭ（Ｉｎｔｅｒ-Ｍｏｄｕｌａｔｉｏｎ）抑制フィルタ１０と、バンドＦ１及びバンドＦ２を分離するＤｉｐｌｅｘｅｒ１１と、バンドＦ１内の上りリンク用バンド及び下りリンク用バンドを分離するＤｕｐｌｅｘｅｒ１２Ａと、バンドＦ２内の上りリンク用バンド及び下りリンク用バンドを分離するＤｕｐｌｅｘｅｒ１２Ｂと、バンドＦ１用の送信回路１３Ａ及び受信回路１４Ａと、バンドＦ２用の送信回路１３Ｂ及び受信回路１４Ｂとを具備している。
【００３１】
これに対して、図４に示すように、「１ＲＦ  Ｕｐｌｉｎｋ  ＣＡ」に対応可能な移動局ＵＥのＲＦ処理部１は、バンドＦ１及びバンドＦ２を分離するＤｉｐｌｅｘｅｒ１１と、バンドＦ１内の上りリンク用バンド及び下りリンク用バンドを分離するＤｕｐｌｅｘｅｒ１２Ａと、バンドＦ２内の上りリンク用バンド及び下りリンク用バンドを分離するＤｕｐｌｅｘｅｒ１２Ｂと、バンドＦ１用の送信回路１３Ａ及び受信回路１４Ａと、バンドＦ２用の送信回路１３Ｂ及び受信回路１４Ｂとを具備している。
【００３２】
すなわち、「１ＲＦ  Ｕｐｌｉｎｋ  ＣＡ」に対応可能な移動局ＵＥのＲＦ処理部１には、ＩＭ抑制フィルタ１０が設けられていない。
【００３３】
また、図５に示すように、既存の「Ｕｐｌｉｎｋ  ＣＡ」に対応可能な移動局ＵＥのＢＢ処理部２は、複数のバンド＃１〜バンド＃（Ｎ−１）の各々に対応する複数の送信部２３＃１〜２３＃（Ｎ−１）と、複数のバンド＃１〜バンド＃（Ｎ−１）の各々に対応する複数の受信部２１＃１〜２１＃（Ｎ−１）と、受信部２１＃１〜２１＃（Ｎ−１）の各々及び送信部２３＃１〜２３＃（Ｎ−１）の各々に接続されている制御部２２＃１〜２２＃（Ｎ−１）とを具備している。
【００３４】
ここで、送信部２３＃１〜２３＃（Ｎ−１）は、バンドＦ１用の送信回路１３Ａ又はバンドＦ２用の送信回路１３Ｂを介して送信するように構成されており、受信部２１＃１〜２１＃（Ｎ−１）は、バンドＦ１用の受信回路１４Ａ又はバンドＦ２用の受信回路１４Ｂを介して受信するように構成されている。
【００３５】
制御部２２＃１〜２２＃（Ｎ−１）の各々は、受信部２１＃１〜２１＃（Ｎ−１）の各々を介して受信した上りスケジューリング情報に基づいて、送信部２３＃１〜２３＃（Ｎ−１）の各々に対してＰＵＳＣＨ（Ｐｈｓｉｃａｌ  Ｕｐｌｉｎｋ  Ｓｈａｒｅｄ  Ｃｈａｎｎｅｌ、物理上りリンク共有チャネル）信号の送信を指示するように構成されている。
【００３６】
なお、制御部２２＃１〜２２＃（Ｎ−１）の各々は、送信部２３＃１〜２３＃（Ｎ−１）の各々に対して、ＰＵＳＣＨ信号にＰＵＣＣＨ（Ｐｈｓｉｃａｌ  Ｕｐｌｉｎｋ  Ｃｏｎｔｒｏｌ  Ｃｈａｎｎｅｌ、物理上りリンク制御チャネル）信号を「Ｐｉｇｇｙ  ｂａｃｋ」するように指示することができる。
【００３７】
なお、既存の「Ｕｐｌｉｎｋ  ＣＡ」に対応可能な移動局ＵＥは、同一のサブフレームにおいて複数のバンドを介して上りデータ信号を送信することができる旨を示す同時送信能力情報を送信するように構成されていてもよい。
【００３８】
或いは、既存の「Ｕｐｌｉｎｋ  ＣＡ」に対応可能な移動局ＵＥは、同一のサブフレームにおいて複数のバンドを介して上りデータ信号を送信した場合に所定通信品質を担保することができる旨を示す同時送信能力情報を送信するように構成されていてもよい。
【００３９】
これに対して、図６に示すように、「１ＲＦ  Ｕｐｌｉｎｋ  ＣＡ」に対応可能な移動局ＵＥのＢＢ処理部２は、複数のバンド＃１〜バンド＃（Ｎ−１）の各々に対応する複数の送信部２３＃１〜２３＃（Ｎ−１）と、複数のバンド＃１〜バンド＃（Ｎ−１）の各々に対応する複数の受信部２１＃１〜２１＃（Ｎ−１）と、受信部２１＃１〜２１＃（Ｎ−１）の各々及び送信部２３＃１〜２３＃（Ｎ−１）の各々に接続されている制御部２２とを具備している。
【００４０】
ここで、送信部２３＃１〜２３＃（Ｎ−１）は、バンドＦ１用の送信回路１３Ａ又はバンドＦ２用の送信回路１３Ｂを介して送信するように構成されており、受信部２１＃１〜２１＃（Ｎ−１）は、バンドＦ１用の受信回路１４Ａ又はバンドＦ２用の受信回路１４Ｂを介して受信するように構成されている。
【００４１】
制御部２２の各々は、受信部２１＃１〜２１＃（Ｎ−１）の各々を介して受信した上りスケジューリング情報に基づいて、送信部２３＃１〜２３＃（Ｎ−１）のいずれを介してＰＵＳＣＨ信号を送信するべきかについて決定するように構成されている。
【００４２】
なお、「１ＲＦ  Ｕｐｌｉｎｋ  ＣＡ」に対応可能な移動局ＵＥは、同一のサブフレームにおいて複数のバンドを介して上りデータ信号を送信することができない旨を示す同時送信能力情報を送信するように構成されていてもよい。
【００４３】
かかる場合、移動局ＵＥが、複数のバンドを利用して通信する機能を有する場合には、そのうち１つのバンドを利用して通信することを示している、
或いは、「１ＲＦ  Ｕｐｌｉｎｋ  ＣＡ」に対応可能な移動局ＵＥは、同一のサブフレームにおいて複数のバンドを介して上りデータ信号を送信した場合に所定通信品質を担保することができない旨を示す同時送信能力情報を送信するように構成されていてもよい。
【００４４】
なお、「１ＲＦ  Ｕｐｌｉｎｋ  ＣＡ」に対応可能な移動局ＵＥは、セル＃１１〜＃１３内では、セル＃１１〜＃１３で用いられているバンド内のＣＣ、すなわち、ＳＣＣ（Ｓｅｃｏｎｄａｒｙ  Ｃｏｍｐｏｎｅｎｔ  Ｃａｒｒｉｅｒ）＃１１〜＃１３のみで、上りリンク信号を送信するように構成されていてもよい。
【００４５】
また、既存の「Ｕｐｌｉｎｋ  ＣＡ」に対応可能な移動局ＵＥは、セル＃１１〜＃１３内では、「１ＲＦ  Ｕｐｌｉｎｋ  ＣＡ」を実現するように構成されていてもよい。
【００４６】
すなわち、既存の「Ｕｐｌｉｎｋ  ＣＡ」に対応可能な移動局ＵＥは、セル＃１１〜＃１３内では、セル＃１１〜＃１３で用いられているバンド内のＣＣ、すなわち、ＳＣＣ＃１１〜＃１３のみで、上りリンク信号を送信するように構成されていてもよい。
【００４７】
かかる場合、既存の「Ｕｐｌｉｎｋ  ＣＡ」に対応可能な移動局ＵＥは、同一のサブフレームにおいて複数のバンドを介して上りデータ信号を送信することができない旨を示す同時送信能力情報を送信するように構成されていてもよい。
【００４８】
或いは、かかる場合、既存の「Ｕｐｌｉｎｋ  ＣＡ」に対応可能な移動局ＵＥは、同一のサブフレームにおいて複数のバンドを介して上りデータ信号を送信した場合に所定通信品質を担保することができない旨を示す同時送信能力情報を送信するように構成されていてもよい。
【００４９】
本発明の第１の実施形態に係る移動通信システムによれば、シンプルな構成の移動局ＵＥによって、「１ＲＦ  Ｕｐｌｉｎｋ  ＣＡ」を実現することができる。
【００５０】
以上に述べた本実施形態の特徴は、以下のように表現されていてもよい。
【００５１】
本実施形態の第１の特徴は、複数のバンドを用いて上りリンク信号を送信することができるように構成されており、かつ、同一サブフレーム（タイミング）では、いずれか１つのバンド又はＣＣ（ＲＦ）を用いて上りリンク信号を送信するように構成されている移動局ＵＥであって、ＲＦ処理部（無線処理部）１及びＢＢ処理部（ベースバンド処理部）２を具備しており、ＲＦ処理部１は、バンドＦ１（第１バンド）用の送信回路１３Ａ及び受信回路１４Ａと、バンドＦ２（第２バンド）用の送信回路１３Ｂ及び受信回路１４Ｂと、バンドＦ１及びバンドＦ２を分離するＤｉｐｌｅｘｅｒ（バンド間分離フィルタ）と、バンドＦ１内の上りリンク用バンド及び下りリンク用バンドを分離するＤｕｐｌｅｘｅｒ（第１バンド内分離フィルタ）１２Ａと、バンドＦ２内の上りリンク用バンド及び下りリンク用バンドを分離するＤｕｐｌｅｘｅｒ（第２バンド内分離フィルタ）１２Ｂとを具備しており、ＢＢ処理部２は、バンドＦ１用の送信回路１３Ａ又はバンドＦ２用の送信回路１３Ｂを介して送信するように構成されている複数のバンド＃１〜バンド＃（Ｎ−１）の各々に対応する複数の送信部２３＃１〜２３＃（Ｎ−１）と、バンドＦ１用の受信回路１４Ａ又はバンドＦ２用の受信回路１４Ｂを介して受信するように構成されている複数のバンド＃１〜バンド＃（Ｎ−１）の各々に対応する複数の受信部２１＃１〜２１＃（Ｎ−１）と、受信部２１＃１〜２１＃（Ｎ−１）の各々及び送信部２３＃１〜２３＃（Ｎ−１）の各々に接続されている制御部２２とを具備しており、制御部２２は、受信部２１＃１〜２１＃（Ｎ−１）を介して受信した上りスケジューリング情報に基づいて、送信部２３＃１〜２３＃（Ｎ−１）のいずれを介して上りリンク信号を送信するべきかについて決定するように構成されており、ＲＦ処理部には、相互変調歪みを抑制するＩＭ抑制フィルタ（相互変調歪み抑制フィルタ）１０が設けられていないことを要旨とする。
【００５２】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００５３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５６】
ｅＮＢ…無線基地局
ＵＥ…移動局
１…ＲＦ処理部
１１…Ｄｉｐｌｅｘｅｒ
１２Ａ、１２Ｂ…Ｄｕｐｌｅｘｅｒ
２…ＢＢ処理部
２１＃１〜２１＃（Ｎ−１）…受信部（ＣＣ＃１）〜受信部（ＣＣ＃（Ｎ−１））
２２…制御部
２２＃１〜２２＃（Ｎ−１）…制御部（ＣＣ＃１）〜制御部（ＣＣ＃（Ｎ−１））
２３＃１〜２３＃（Ｎ−１）…送信部（ＣＣ＃１）〜送信部（ＣＣ＃（Ｎ−１））
【図１】
0005819750.tif 000002
【図２】
0005819750.tif 000003
【図３】
0005819750.tif 000004
【図４】
0005819750.tif 000005
【図５】
0005819750.tif 000006
【図６】
0005819750.tif 000007
【図７】
0005819750.tif 000008